(57)【要約】【課題】色域調整用のフィルターを光路上に省スペースで配置することができ、ゴースト像の発生等の弊害を抑制することができるプロジェクターを提供すること。【解決手段】フィルター部材８１を構成する複数の板状のフィルター部分８１ａ，８１ｂが照明光束ＬＦの中心軸であるシステム光軸ＳＡに垂直なＸＹ面に対して傾いて配置されるので、フィルター部材８１の入出射側面８１ｉ，８１ｏでの反射に起因するゴースト像の発生等の弊害を抑制できる。しかしかも、フィルター部材８１が傾斜方向に配列される複数の板状のフィルター部８１ａ，８１ｂを有するので、フィルター部材８１が一枚の平板である場合に比較してシステム光軸ＳＡに沿った方向に関する厚みを抑えることができ、フィルター部材８１を薄型化して狭い空間に配置することができる。【選択図】図２
2011191366.tif 000002
【特許請求の範囲】
【請求項１】
照明光束を射出する光源と、
前記光源から射出された照明光束によって照明される光変調装置と、
前記光変調装置から射出された光束を投射する投射光学系と、
前記光源からの前記照明光束の中心軸に垂直な面に対して傾斜するとともに傾斜方向に配列される複数の板状のフィルター部分を有し、前記照明光束のうち所定波長域の光束を減衰させるフィルター部材と、
を備えるプロジェクター。
【請求項２】
前記フィルター部材を光路上に進退させるフィルター移動機構をさらに備える、請求項１に記載のプロジェクター。
【請求項３】
前記フィルター部材は、前記複数のフィルター部分を支持するホルダを有し、
前記複数のフィルター部分は、段差を介して互いに平行に配置された状態で前記ホルダに固定されている、請求項１及び請求項２のいずれか一項に記載のプロジェクター。
【請求項４】
前記照明光束の偏光方向を揃えるための複数の偏光変換素子を有する偏光変換装置をさらに備え、
前記複数のフィルター部分の境界は、前記偏光変換装置を構成する前記複数の偏光変換素子の入射面に形成されたマスクに対応して設けられている、請求項１から請求項３までのいずれか一項に記載のプロジェクター。
【請求項５】
前記フィルター部材は、前記偏光変換装置に隣接して配置される、請求項４に記載のプロジェクター。
【請求項６】
前記光源からの前記照明光束を分割する一対の第１及び第２のレンズアレイと、前記第１及び第２のレンズアレイを経た前記照明光束を重畳させるための重畳レンズとをさらに備え、
前記複数のフィルター部分の境界は、前記第２のレンズアレイを構成する複数の要素レンズの境界に対応して設けられている、請求項１から請求項３までのいずれか一項に記載のプロジェクター。
【請求項７】
前記フィルター部材は、前記第２フライアイレンズに隣接して配置される、請求項６に記載のプロジェクター。
【発明の詳細な説明】
【技術分野】
【０００１】
本発明は、照明光の波長域を調整するためのフィルター部材を有するプロジェクターに関する。
【背景技術】
【０００２】
従来のプロジェクターとして、光源装置の光路下流側に色域拡大用のフィルターを設け、このフィルターを光軸に垂直な方向にスライド移動可能に設置することにより、フィルターを光路上に進退可能にしたものが知られている（特許文献１参照）。
【０００３】
また、別のプロジェクターとして、光源装置に設けた金属製反射ミラーの正面にコーン型のフィルター板を配置することにより、このフィルター板で反射した赤外光及び紫外光を周囲に設けた放熱筒の内面に吸収させるものがある（特許文献２参照）。
【先行技術文献】
【特許文献】
【０００４】
【特許文献１】特開２００７−６５４８９６号公報
【特許文献２】特開２００８−１６３９４号公報
【発明の概要】
【発明が解決しようとする課題】
【０００５】
しかしながら、上記特許文献１のように色域拡大用のフィルターを光路上に配置すると、フィルターの面で不要光が反射されて、ゴースト像を発生させる可能性がある。ここで、ゴースト像の発生を抑制するため、フィルターを光軸方向に対して垂直な状態から幾分傾けて配置することも考えられるが、このようなフィルターの傾斜に対応させて光軸方向に比較的広い空間を確保する必要が生じ、フィルターの配置の自由度が制限されてしまう。
【０００６】
また、上記特許文献２のようにコーン型のフィルター板を設置する場合、フィルター板がその形状に起因して光軸方向に幅をとってしまうので、フィルター板の配置場所が制限され、特に金属製反射ミラーの直後にフィルター板を配置する場合、発光放電管から熱的な影響を受けやすくなってしまう。
【０００７】
そこで、本発明は、波長域を調整するためのフィルターを光路上に省スペースで配置することができ、ゴースト像の発生等の弊害を抑制することができるプロジェクターを提供することを目的とする。
【課題を解決するための手段】
【０００８】
上記課題を解決するため、本発明に係るプロジェクターは、照明光束を射出する光源と、光源から射出された照明光束によって照明される光変調装置と、光変調装置から射出された光束を投射する投射光学系と、光源からの照明光束の中心軸に垂直な面に対して傾斜するとともに傾斜方向に配列される複数の板状のフィルター部分を有し、照明光束のうち所定波長域の光束を減衰させるフィルター部材とを備える。
【０００９】
上記プロジェクターによれば、フィルター部材を構成する複数の板状のフィルター部分が光源からの照明光束の中心軸に垂直な面に対して傾いて配置されるので、フィルター部材の入出射面での反射に起因するゴースト像の発生等の弊害を抑制できる。しかしかも、フィルター部材が傾斜方向に配列される複数の板状のフィルター部を有するので、フィルター部材が一枚の平板である場合に比較して照明光束の中心軸に沿った方向に関する厚みを抑えることができ、フィルター部材を薄型化して狭い空間に配置することができる。
【００１０】
また、本発明の具体的な態様又は側面によれば、上記プロジェクターにおいて、フィルター部材を光路上に進退させるフィルター移動機構をさらに備える。フィルター部材が例えば可視波長域の透過率を調整可能である場合、フィルター部材を光路上に配置することによって色域を拡大した色調優先モードでの画像投射と、フィルター部材を光路上から退避させることによって明るさを増した明るさ優先モードでの画像投射との選択が可能になる。
【００１１】
本発明の別の具体的な側面によれば、フィルター部材は、複数のフィルター部分を支持するホルダを有し、複数のフィルター部分は、段差を介して互いに平行に配置された状態でホルダに固定されている。この場合、フィルター部材の実効的な厚みを段差分だけ簡易に減少させることができ、フィルター部材をホルダによって一体化して取り扱うことができる。
【００１２】
本発明のさらに別の具体的な側面によれば、照明光束の偏光方向を揃えるための複数の偏光変換素子を有する偏光変換装置をさらに備え、複数のフィルター部分の境界は、偏光変換装置を構成する複数の偏光変換素子の入射面に形成されたマスクに対応して設けられている。この場合、複数のフィルター部分の境界周辺を通過する光が照明に利用されることを抑制でき、迷光の発生をより抑制できる。
【００１３】
本発明のさらに別の具体的な側面によれば、フィルター部材は、偏光変換装置に隣接して配置される。複数のフィルター部分の境界周辺を通過する光が照明に利用されることをより確実に防止できる。
【００１４】
本発明のさらに別の具体的な側面によれば、光源からの照明光束を分割する一対の第１及び第２のレンズアレイと、第１及び第２のレンズアレイを経た照明光束を重畳させるための重畳レンズとをさらに備え、複数のフィルター部分の境界は、第２のレンズアレイを構成する複数の要素レンズの境界に対応して設けられている。この場合、複数のフィルター部分の境界周辺に照明光束が入射することを抑制でき、迷光の発生をより抑制できる。
【００１５】
本発明のさらに別の具体的な側面によれば、フィルター部材は、第２フライアイレンズに隣接して配置される。複数のフィルター部分の境界周辺を通過する光が照明に利用されることをより確実に防止できる。
【図面の簡単な説明】
【００１６】
【図１】第１実施形態に係るプロジェクターを概念的に示す平面図である。
【図２】（Ａ）は、照明光学系について説明する平面図であり、（Ｂ）は、フィルター部材の正面図である。
【図３】フィルター部材を移動させるための構造の一例を示す斜視図である。
【図４】第２実施形態に係るプロジェクターの照明光学系を説明する図である。
【図５】第３実施形態に係るプロジェクターの照明光学系を説明する図である。
【発明を実施するための形態】
【００１７】
〔第１実施形態〕
以下、図面を参照して、本発明の第１実施形態に係るプロジェクターについて詳細に説明する。
【００１８】
〔Ａ．プロジェクターの構造の概要〕
図１に示すように、本実施形態に係るプロジェクター１００は、照明装置１０と、色分離導光部４０と、光変調部５０と、色合成部６０と、投射光学系７０とを備える。
【００１９】
まず、照明装置１０は、光源ランプユニット２０と、均一化光学系３０と、色域調節装置８０とを含む照明光学系である。
【００２０】
照明装置１０のうち、光源ランプユニット２０は、光源として、ランプ部２１ａと、凹レンズ２１ｂとを備える。このうち、ランプ部２１ａは、例えば高圧水銀ランプ等である発光管２２ａと、発光管２２ａから射出された光束を反射して前方に射出させる楕円面型の凹面鏡２２ｂとを備える。凹レンズ２１ｂは、ランプ部２１ａからの照明光束ＬＦをシステム光軸ＳＡ（即ち照明光束ＬＦの中心軸）に略平行にする役割を有するが、例えば凹面鏡２２ｂが放物面鏡である場合には、省略することもできる。
【００２１】
均一化光学系３０は、第１及び第２レンズアレイ３１，３２と、偏光変換部材３４と、重畳レンズ３５とを備える。
【００２２】
第１及び第２レンズアレイ３１，３２は、それぞれが例えばＸ方向及びＹ方向に関してマトリクス状に配置された複数の要素レンズからなるフライアイレンズである。このうち、第１レンズアレイ３１を構成する複数の要素レンズ３１ａによって、光源ランプユニット２０から射出された照明光束ＬＦが複数の部分光束に分割される。また、第２レンズアレイ３２を構成する複数の要素レンズ３２ａによって、第１レンズアレイ３１から入射した各部分光束が適当な発散角で偏光変換部材３４側に射出される。
【００２３】
偏光変換部材３４は、全体としてＸＹ面に平行な矩形の平板状の部材であり、ＰＢＳのプリズムアレイ等で構成されＹ方向を長手方向として延びる複数の偏光変換素子３４ａをＸ方向に一列に並べて形成されている。偏光変換部材３４は、レンズアレイ３２から射出された照明光束ＬＦを特定方向の直線偏光のみに変換して次段光学系に供給する。具体的に説明すると、偏光変換部材３４を構成する各偏光変換素子３４ａは、レンズアレイ３２を構成する複数の要素レンズ３２ａがＸ方向に並ぶ個数に合わせて配列されており、第２レンズアレイ３２の各要素レンズ３２ａから射出された各部分光束は、対応する偏光変換素子３４ａにそれぞれ入射し、偏光変換素子３４ａにおいて特定方向の直線偏光に変換される。
【００２４】
重畳レンズ３５は、第２レンズアレイ３２から射出され偏光変換部材３４を経た照明光束ＬＦを全体として適宜収束させることにより、光変調装置である光変調部５０に設けた各色の液晶ライトバルブ５０ａ，５０ｂ，５０ｃに対する重畳照明を可能にする。
【００２５】
以上のように、均一化光学系３０は、光源である光源ランプユニット２０からの照明光束ＬＦを分割・重畳により均一化し、当該照明光束ＬＦにより光変調部５０に設けた各色の液晶ライトバルブ５０ａ，５０ｂ，５０ｃに対する適切な照明を可能にする。
【００２６】
色域調節装置８０は、動作環境等に応じてオン・オフ動作可能に設けられており、色域調節装置駆動部９１により駆動される。色域調節装置８０は、フィルター部材８１と、フィルター移動機構８２とを備える。
【００２７】
フィルター部材８１は、第２レンズアレイ３２と偏光変換部材３４との間の光路上に偏光変換部材３４に隣接して配置可能であるとともに、フィルター移動機構８２によってＸ方向にスライド移動可能になっている。フィルター部材８１は、例えば照明光束ＬＦの色域を調節するための色域フィルターであり、光路上に配置されたオン状態でランプ部２１ａから射出される照明光束ＬＦのうち所定波長域のスペクトル成分を反射又は吸収によって減衰させて、投射画像の色合いを調整する。例えば、フィルター部材８１が所定波長域として５８０ｎｍ付近における緑色光成分及び赤色光成分の強度を減衰させるような色域フィルターである場合、緑色光成分と赤色光成分との分離が良くなり、赤色及び緑色の色再現性を向上させることができる。
【００２８】
フィルター部材８１は、±Ｘ方向にスライド移動することで、システム光軸ＳＡを中心軸とする照明光束ＬＦの光路上に進退可能となっており、光路上に配置されたオン状態では（図中実線）、照明光束ＬＦのうち所定波長域の光束を減衰させ、光路外に退避したオフ状態では（図中破線）、照明光束ＬＦの減衰を行わない。これにより、プロジェクター１００は、フィルター部材８１を光路上に配置することで、照明光束ＬＦのうち色再現性の向上に寄与する波長域の光束を選択的に通過させる色再現性の高い表示モード（以下、色再現性優先モードという）での画像投射を行うことができる。一方、プロジェクター１００は、フィルター部材８１を光路上から外れた位置に待避させることで、照明光束ＬＦをそのまま通過させる高輝度の表示モード（以下、明るさ優先モードという）での画像投射も行うことができる。つまり、プロジェクター１００のユーザーは、本体に設置された操作ボタン（不図示）等を適宜操作して、上記モードを切り換えられる。なお、フィルター部材８１をスライド移動させるためのフィルター移動機構８２の詳細については後述する。
【００２９】
図２（Ａ）及び２（Ｂ）に示すように、フィルター部材８１は、複数枚（具体的には２枚）の板状のフィルター部分８１ａ，８１ｂと、両フィルター部分８１ａ，８１ｂを支持するホルダ８１ｃとを有する。
【００３０】
各フィルター部分８１ａ，８１ｂは、光透過性の基板上に誘電体多層膜を形成したものであり、照明光束ＬＦのうち所定波長域の光束を減衰させる。また、各フィルター部分８１ａ，８１ｂにおいて、その主面である入射側面８１ｉの向きは、照明光束ＬＦの中心軸に相当するシステム光軸ＳＡに垂直な面即ちＸＹ面に対して平行とはなっておらず、ＸＹ面を基準としてＹ方向に平行な軸のまわりに傾斜角度αだけ反時計回りの方向に回転している。これにより、例えば光路下流側からフィルター部材８１に向かう戻り光その他の不要光ＵＬは、フィルター部材８１を構成する各フィルター部分８１ａ，８１ｂの裏面である射出側面８１ｏで照明光束ＬＦの光路外の方向に反射される。結果的に、不要光ＵＬは、照明光束ＬＦの一部となって均一化光学系３０の後段の液晶ライトバルブ５０ａ，５０ｂ，５０ｃ等に導かれることがなくなるので、ゴースト像の発生源となることなく除去される。つまり、プロジェクター１００は、色再現性優先モードにおいても、ゴースト像を発生させることなく良好な画像を提供することができる。また、フィルター部材８１を構成する各フィルター部分８１ａ，８１ｂが上述のように傾斜していることで、光路上流側からフィルター部材８１に向かう照明光束ＬＦのうちフィルター部材８１の各フィルター部分８１ａ，８１ｂの入射側面８１ｉで反射される成分についても、そのまま反対側にある光源ランプユニット２０の発光管２２ａには戻らず光路外へ排出等されるため、ランプ部２１ａの加熱等の原因とならない。
【００３１】
フィルター部材８１を構成する一対のフィルター部分８１ａ，８１ｂは、互いに平行で、両フィルター部分８１ａ，８１ｂの傾斜方向であるＸ方向に配列されている。両フィルター部分８１ａ，８１ｂは、上記傾斜方向に垂直なＹ方向に延びるエッジ部分Ｅａ，Ｅｂにおいてホルダ８１ｃの一部である桟状の接続枠８１ｄによって連結され固定されている。ここで、傾斜方向とは、システム光軸ＳＡに垂直なＸＹ面において、両フィルター部分８１ａ，８１ｂの傾斜角度αをとる方向（すなわち回転軸又は傾斜軸に垂直な方向）であるものとする。このように、フィルター部材８１を構成するフィルター部分８１ａ，８１ｂを傾斜方向に配列することにより、フィルター部材８１の照明光束ＬＦの中心軸に相当するシステム光軸ＳＡに沿った方向に関する厚みを低減することができる。つまり、フィルター部材８１の傾斜方向の幅をｄｘとし、各フィルター部分８１ａ，８１ｂの厚みをｔｚとすると、フィルター部分８１ａ，８１ｂが一体の部材である場合、フィルター部材８１のシステム光軸ＳＡ方向の厚みは、ｄｘ・ｔａｎα＋ｔｚ程度となるが、上記のようにフィルター部分８１ａ，８１ｂが段差Ｓを有する別部材である場合、ｄｘ・ｔａｎα＋ｔｚ−Ｓ程度と、段差Ｓ分だけ薄くすることができる。なお、両フィルター部分８１ａ，８１ｂ間の段差Ｓは、最大で（１／２）・ｄｘ・ｔａｎα程度とすることができるので、フィルター部材８１を２枚のフィルター部分８１ａ，８１ｂに分割した場合、最も効果的に配置したときのフィルター部材８１の厚みは、分割しない場合の半分程度とすることができる。
【００３２】
フィルター部材８１を構成するフィルター部分８１ａ，８１ｂに設けたエッジ部分Ｅａ，Ｅｂは、偏光変換部材３４を構成する複数の偏光変換素子３４ａの入射面に形成されたマスク３４ｆに対向して設けられている。この場合、複数のフィルター部分８１ａ，８１ｂの境界に存在するエッジ部分Ｅａ，Ｅｂ周辺を通過する光が照明に利用されることを抑制でき、迷光の発生をより抑制できる。つまり、エッジ部分Ｅａ，Ｅｂやホルダ８１ｃの接続枠８１ｄに入射する照明光束ＬＦが存在しても、マスク３４ｆに遮られるべきものであり、各色の液晶ライトバルブ５０ａ，５０ｂ，５０ｃに入射する照明光束ＬＦの均一性が損なわれることを防止できる。
【００３３】
なお、偏光変換部材３４を構成する各偏光変換素子３４ａは、平行四辺形の断面を有する１つの四角プリズム３４ｃと、直角三角形の断面を有し四角プリズム３４ｃの対向斜面に接合される２つの三角プリズム３４ｄ，３４ｅと、一方の三角プリズム３４ｄの光入射面側に形成された遮光用のマスク３４ｆと、三角プリズム３４ｅの光射出面側に形成された位相調整用の波長板３４ｇとを有する。中央の四角プリズム３４ｃと、一方の三角プリズム３４ｄとの接合面には、ミラー３４ｊが形成され、中央の四角プリズム３４ｃと、他方の三角プリズム３４ｅとの接合面には、偏光分離膜３４ｋが形成されている。レンズアレイ３２の要素レンズ３２ａから射出された部分光束ＤＬは、マスク３４ｆを避けるように四角プリズム３４ｃに入射しこれを直進して三角プリズム３４ｅに入射する。この際、偏光分離膜３４ｋでＳ偏光が反射され、偏光分離膜３４ｋを通過したＰ偏光は、三角プリズム３４ｅを介して波長板３４ｇから射出される際に、Ｐ偏光からＳ偏光に変換される。一方、偏光分離膜３４ｋで反射されて直交方向に折り曲げられたＳ偏光は、ミラー３４ｊで反射されて再度直交方向に折り曲げられて四角プリズム３４ｃから射出される。ここで、三角プリズム３４ｅの光射出側の波長板３４ｇから射出される部分光束ＤＬと、四角プリズム３４ｃの光射出側から射出される部分光束ＤＬとは、いずれもＳ偏光であり、偏光方向が揃った状態となっている。
【００３４】
図１に戻って、均一化光学系３０の光路下流側に位置する色分離導光部４０は、第１及び第２ダイクロイックミラー４１ａ，４１ｂと、反射ミラー４２ａ，４２ｂ，４２ｃと、３つのフィールドレンズ４３ａ，４３ｂ，４３ｃと、リレーレンズ４４ａ，４４ｂとを備え、照明装置１０から射出された照明光束ＬＦを赤（Ｒ）色、緑（Ｇ）色、及び青（Ｂ）色の３色に分離するとともに、各色光を後段の液晶ライトバルブ５０ａ，５０ｂ，５０ｃへ導く。より詳しく説明すると、まず、第１ダイクロイックミラー４１ａは、ＲＧＢの３色のうちＲ色の照明光ＬＲを反射しＧ色及びＢ色の照明光ＬＧ，ＬＢを透過させる。また、第２ダイクロイックミラー４１ｂは、ＧＢの２色のうちＧ色の照明光ＬＧを反射しＢ色の照明光ＬＢを透過させる。つまり、第１ダイクロイックミラー４１ａで反射された赤色光ＬＲは、フィールドレンズ４３ａのある赤光路ＯＰ１に導かれ、第１ダイクロイックミラー４１ａを透過して第２ダイクロイックミラー４１ｂで反射された緑色光ＬＧは、フィールドレンズ４３ｂのある緑光路ＯＰ２に導かれ、第２ダイクロイックミラー４１ｂを通過した青色光ＬＢは、フィールドレンズ４３ｃのある青光路ＯＰ３に導かれる。各色用のフィールドレンズ４３ａ，４３ｂ，４３ｃは、第２レンズアレイ３２から射出され重畳レンズ３５等を通過して光変調部５０に入射する各部分光束ＤＬ（図２（Ａ）参照）が、各液晶ライトバルブ５０ａ，５０ｂ，５０ｃの被照射領域上において、システム光軸ＳＡに対して適当な収束度又は発散度となるように入射角を調節している。
【００３５】
光変調部５０は、照明光束ＬＦから分離された３色の照明光ＬＲ，ＬＧ，ＬＢによって照明される光変調装置であり、３色の照明光ＬＲ，ＬＧ，ＬＢがそれぞれ入射する３つの液晶ライトバルブ５０ａ，５０ｂ，５０ｃを備える。各液晶ライトバルブ５０ａ，５０ｂ，５０ｃは、中央に配置される液晶パネル５１ａ，５１ｂ，５１ｃと、これを挟むように配置される光路上流側の入射側偏光フィルター５２ａ，５２ｂ，５２ｃと、光路下流側の射出側偏光フィルター５３ａ，５３ｂ，５３ｃとをそれぞれ備えている。各液晶ライトバルブ５０ａ，５０ｂ，５０ｃにそれぞれ入射した各色光ＬＲ，ＬＧ，ＬＢは、各液晶ライトバルブ５０ａ，５０ｂ，５０ｃに電気的信号として入力された駆動信号或いは制御信号に応じて、画素単位で強度変調される。なお、各液晶パネル５１ａ，５１ｂ，５１ｃは、いずれも透過型の液晶パネルであり、図示による説明を省略するが、透明電極等を有する光透過性の入射側基板と、画素電極等を有する光透過性の駆動基板と、入射側基板及び駆動基板間に密閉封入される液晶層とを備える。
【００３６】
色合成部６０は、カラー画像を合成するためのクロスダイクロイックプリズムであり、その内部には、Ｒ光反射用の第１ダイクロイック膜６１と、Ｂ光反射用の第２ダイクロイック膜６２とが、平面視Ｘ字状に配置されている。この色合成部６０は、液晶ライトバルブ５０ａからの赤色光ＬＲを第１ダイクロイック膜６１で反射して進行方向右側に射出させ、液晶ライトバルブ５０ｂからの緑色光ＬＧを両ダイクロイック膜６１，６２を介して直進・射出させ、液晶ライトバルブ５０ｃからの青色光ＬＢを第２ダイクロイック膜６２で反射して進行方向左側に射出させる。
【００３７】
投射光学系７０は、投射レンズとして、色合成部６０で合成された画像光をスクリーン（不図示）上にカラー画像として投射する。
【００３８】
〔Ｂ．遮光板のスライド構造の説明〕
以下、フィルター部材８１のスライド構造であるフィルター移動機構８２について説明する。なお、図２（Ａ）等を用いて上述したように、フィルター部材８１を構成するフィルター部分８１ａ，８１ｂは、システム光軸ＳＡに垂直なＸＹ面に対して傾斜角度αだけ傾けて配置されている。フィルター部材８１は、フィルター移動機構８２により、フィルター部分８１ａ，８１ｂを傾斜させた姿勢を維持したままで光路上に進退可能となっている。
【００３９】
図３に示すように、フィルター移動機構８２は、第１ガイド部材９２と、第２ガイド部材９３と、固定部材９５と、駆動機構９６と、移動部材９７とを備え、図１の色域調節装置駆動部９１からの駆動信号に従って動作する。
【００４０】
第１ガイド部材９２は、移動部材９７をスライド方向Ｒ１に沿って移動可能に支持する部材であり、板体９２ａと、レール部９２ｂとを一体化して備えている。板体９２ａは、図１の筐体１１に固定される。レール部９２ｂは、移動部材９７の上端と摺動可能に係合する部分である。第２ガイド部材９３は、移動部材９７をスライド方向Ｒ１に沿って移動可能に支持する部材であり、板体９３ａと、レール部９３ｂとを一体化して備えている。板体９３ａは、図１の筐体１１に固定される。レール部９３ｂは、移動部材９７の下端と摺動可能に係合する部分である。
【００４１】
固定部材９５は、駆動機構９６を支持する部材であり、載置固定部９５ａと、支持固定部９５ｂとを備える。載置固定部９５ａは、後述する駆動機構９６のモーター９６ａ等を載置固定するとともに、支持固定部９５ｂと組み合わせることで駆動機構９６の第１及び第２歯車９６ｃ，９６ｄを回動可能に挟持する。固定部材９５は、図１の筐体１１に固定される。
【００４２】
駆動機構９６は、移動部材９７をＸ軸方向に平行なスライド方向Ｒ１に移動させるために設けられており、モーター９６ａと、減速ギアボックス９６ｂと、第１歯車９６ｃと、第２歯車９６ｄとを備える。モーター９６ａから延びるモーター軸は、減速ギアボックス９６ｂに接続されている。減速ギアボックス９６ｂは、モーターの回転速度を減速し、その回転力を第１歯車９６ｃと第２歯車９６ｄとを介して移動部材９７に伝達する。
【００４３】
移動部材９７は、フィルター部材８１を支持固定するとともに、駆動機構９６の駆動により、第１ガイド部材９２のレール部９２ｂと、第２ガイド部材９３のレール部９３ｂとに沿って、Ｘ軸方向即ちスライド方向Ｒ１に往復移動するものである。移動部材９７には、第１ガイド部材９２のレール部９２ｂと係合する係合部９７ａが形成されており、第２ガイド部材９３のレール部９３ｂと摺動可能に嵌合する嵌合部９７ｂが形成されている。ここで、嵌合部９７ｂには、駆動機構９６の第２歯車９６ｄと噛合するラック９７ｃがＸ軸方向に延びるように形成されている。移動部材９７は、駆動機構９６の駆動により第２歯車９６ｄの回転がラック９７ｃに伝達されることで、フィルター部材８１をスライド方向Ｒ１に沿って移動させ、進退動作可能にしている。
【００４４】
以上のフィルター移動機構８２を適宜動作させて、フィルター部材８１をシステム光軸ＳＡと交差するように光路上に前進させ場合、色再現性優先モードでの画像投射を行うことができ、フィルター部材８１を光路上から後退させた場合、明るさ優先モードでの画像投射を行うことができる。
【００４５】
本実施形態のプロジェクター１００によれば、フィルター部材８１を構成する複数の板状のフィルター部分８１ａ，８１ｂが照明光束ＬＦの中心軸であるシステム光軸ＳＡに垂直なＸＹ面に対して傾いて配置されるので、フィルター部材８１の入出射側面８１ｉ，８１ｏでの反射に起因するゴースト像の発生等の弊害を抑制できる。しかしかも、フィルター部材８１が傾斜方向に配列される複数の板状のフィルター部８１ａ，８１ｂを有するので、フィルター部材８１が一枚の平板である場合に比較してシステム光軸ＳＡに沿った方向に関する厚みを抑えることができ、フィルター部材８１を薄型化して狭い空間に配置することができる。
【００４６】
〔第２実施形態〕
以下、第２実施形態に係るプロジェクターの光学系の構成について説明する。なお、第２実施形態のプロジェクターは、第１実施形態のプロジェクター１００を変形したものであり、同一部分には同一の符号を付す。また、第２実施形態のプロジェクター１００について特に説明しない部分は、第１実施形態のプロジェクター１００と同様であるものとする。
【００４７】
図４に示すように、フィルター部材８１は、第２レンズアレイ３２に隣接して光路上に進退可能に配置され、フィルター部材８１を構成するフィルター部分１８１ａ，１８１ｂに設けたエッジ部分Ｅａ，Ｅｂは、第２レンズアレイ３２を構成する複数の要素レンズ３２ａの境界３２ｆに対向して設けられている。この場合、第２レンズアレイ３２による部分光束ＤＬは、複数のフィルター部分８１ａ，８１ｂの境界に存在するエッジ部分Ｅａ，Ｅｂ周辺に入射しないので、迷光の発生をより抑制できる。
【００４８】
なお、図４に示すフィルター部材８１は、第２レンズアレイ３２の光路下流側ではなく、第２レンズアレイ３２の光路上流側に配置することもできる。
【００４９】
〔第３実施形態〕
以下、第３実施形態に係るプロジェクターの光学系の構成について説明する。なお、第３実施形態のプロジェクターは、第１実施形態や第２実施形態のプロジェクター１００を変形したものであり、同一部分には同一の符号を付す。また、第３実施形態のプロジェクター１００について特に説明しない部分は、第１実施形態や第２実施形態のプロジェクター１００と同様であるものとする。
【００５０】
図５に示すように、フィルター部材８１を構成するフィルター部分１８１ａ，１８１ｂは、照明光束ＬＦの中心軸であるシステム光軸ＳＡに垂直なＸＹ面に対して傾斜角度αだけ傾いて配置されている。ただし、フィルター部分１８１ａは、時計回りの方向に傾斜角度αだけ回転して傾斜しているが、フィルター部分１８１ｂは、反時計回りの方向に傾斜角度αだけ回転して傾斜している。この際、両フィルター部分１８１ａ，１８１ｂは、境界のエッジ部分Ｅａ，Ｅｂにおいて接続枠１８１ｄによって連結され固定されているが、接続枠１８１ｄは、エッジ部分Ｅａ，Ｅｂ間に段差が形成されないようにしている。このように、両フィルター部分１８１ａ，１８１ｂの傾斜の回転方向が反対であっても、フィルター部材８１のシステム光軸ＳＡ方向に関する厚みを低減できる。
【００５１】
なお、図５に示すフィルター部材８１は、第２レンズアレイ３２の光路下流側ではなく、第２レンズアレイ３２の光路上流側に配置することもできる。
【００５２】
〔その他、変形例等〕
以上実施形態に即して本発明を説明したが、本発明は、上記の実施形態に限られるものではなく、その要旨を逸脱しない範囲において種々の態様において実施することが可能であり、例えば次のような変形も可能である。
【００５３】
上記第１実施形態では、フィルター部材８１が色域拡大用の色フィルターであるものとしたが、フィルター部材８１を紫外（ＵＶ）光や赤外光のカット用のフィルターとすることもでき、この場合、フィルター部材８１を光路上に進退移動させるためのフィルター移動機構８２は不要となる。
【００５４】
上記第１実施形態では、図２（Ａ）に示すように、偏光変換部材３４を構成する複数の偏光変換素子３４ａのうちシステム光軸ＳＡに隣接する中央側の１つの偏光変換素子３４ａに形成されたマスク３４ｆに重ねるように、フィルター部材８１のエッジ部分Ｅａ，Ｅｂや接続枠８１ｄを配置しているが、図２（Ａ）に例示する上記偏光変換素子３４ａに限らず、いずれか他の偏光変換素子３４ａに形成されたマスク３４ｆに重ねるように、フィルター部材８１のエッジ部分Ｅａ，Ｅｂや接続枠８１ｄを配置することができる。
【００５５】
上記第２実施形態では、図４に示すように、第２レンズアレイ３２を構成する複数の要素レンズ３２ａ間の境界の３２ｆのうちシステム光軸ＳＡと交差する中央の境界３２ｆに重ねるように、フィルター部材８１のエッジ部分Ｅａ，Ｅｂや接続枠８１ｄを配置しているが、図４に例示する上記境界３２ｆに限らず、いずれか他の境界３２ｆに重ねるように、フィルター部材８１のエッジ部分Ｅａ，Ｅｂや接続枠８１ｄを配置することができる。なお、第２実施形態では、Ｙ方向に延びる境界３２ｆにエッジ部分Ｅａ，Ｅｂや接続枠８１ｄを一致させているが、Ｘ方向に延びる境界３２ｆにエッジ部分Ｅａ，Ｅｂや接続枠８１ｄを一致させることもできる。この場合、フィルター部材８１を構成するフィルター部分１８１ａ，１８１ｂは、Ｘ軸に平行な軸のまわりに傾斜した状態でフレームに固定されることになる。
【００５６】
上記第３実施形態では、第２レンズアレイ３２においてシステム光軸ＳＡと交差する中央の境界３２ｆに重ねるように、フィルター部材８１のエッジ部分Ｅａ，Ｅｂや接続枠１８１ｄを配置しているが、他の境界３２ｆに重ねるようにフィルター部材８１のエッジ部分Ｅａ，Ｅｂや接続枠１８１ｄを配置することができる。さらに、偏光変換部材３４を構成するいずれかの偏光変換素子３４ａに形成されたマスク３４ｆに重ねるように、フィルター部材８１のエッジ部分Ｅａ，Ｅｂや接続枠１８１ｄを配置することができる。
【００５７】
上記第１〜３実施形態では、フィルター部材８１を２枚のフィルター部分８１ａ，８１ｂ，１８１ａ，１８１ｂに分割しているが、フィルター部材８１を３枚以上のフィルター部分に分割して傾斜方向に配列することもできる。
【００５８】
上記各実施形態では特に説明していないが、例えば動的な調光装置を設けることができる。すなわち、第１及び第２レンズアレイ３１，３２間に開閉可能な一対の調光羽根を設け、当該一対の調光羽根を絞りのように機能させることにより、照明装置１０から射出される照明光の光量を増減調整することができる。これにより、投射画像の動的なコントラストを増加させることができる。
【００５９】
また、上記実施形態において、フィルター部材８１は、フィルター移動機構８２によりＸ方向にスライド移動するが、スライド方向は、このほかの方向（例えばＹ方向）であってもよい。
【００６０】
また、上記実施形態において、フィルター部材８１を第２レンズアレイ３２の前後に配置しているが、フィルター部材８１を第１レンズアレイ３１の前後周辺に配置することができる。
【００６１】
また、上記実施形態において、光変調部５０を液晶ライトバルブ５０ａ，５０ｂ，５０ｃで構成するものとしたが、光変調部５０をデジタル・ミラー・デバイス型のライトバルブで構成することができる。なお、光変調部５０をデジタル・ミラー・デバイス型のライトバルブで構成する場合、ロッドレンズによって照明光を均一化することが多いが、例えばロッドレンズの手前に上記図２（Ａ）等に示すようなフィルター部材８１を配置することができる。
【符号の説明】
【００６２】
１０…照明装置、  ２０…光源ランプユニット、  ２１ａ…ランプ部、  ２１ｂ…凹レンズ、  ３０…均一化光学系、  ３１…第１レンズアレイ、  ３１ａ…要素レンズ、  ３２…第２レンズアレイ、  ３２ａ…要素レンズ、  ３２ｆ…境界、  ３４…偏光変換部材、  ３４ａ…偏光変換素子、  ３４ｆ…マスク、  ３５…重畳レンズ、  ４０…色分離導光部、  ４１ａ，４１ｂ…ダイクロイックミラー、  ５０…光変調部、  ５０ａ，５０ｂ，５０ｃ…液晶ライトバルブ、  ５１ａ，５１ｂ，５１ｃ…液晶パネル、  ６０…色合成部、  ７０…投射光学系、  ８０…色域調節装置、  ８１…フィルター部材、  ８１ａ，８１ｂ,１８１ａ，１８１ｂ…フィルター部分、  ８１ｃ…ホルダ、  ８１ｄ，１８１ｄ…接続枠、  ８１ｉ…入射側面、  ８１ｏ…射出側面、  ８２…フィルター移動機構、  ９１…色域調節装置駆動部、  ９２…第１ガイド部材、  第２ガイド部材、  ９５…固定部材、  ９６…駆動機構、  ９６…駆動機構、  ９６ａ…モーター、  ９７…移動部材、  １００…プロジェクター、  ＤＬ…部分光束、  Ｅａ，Ｅｂ…エッジ部分、  ＬＦ…照明光束、  ＯＰ１…赤光路、  ＯＰ２…緑光路、  ＯＰ３…青光路、  ＳＡ…システム光軸
【図１】
2011191366.tif 000003
【図２】
2011191366.tif 000004
【図３】
2011191366.tif 000005
【図４】
2011191366.tif 000006
【図５】
2011191366.tif 000007